(57)【要約】【課題】表示窓の両側に縞模様が生じない発光素子を提供する。【解決手段】発光素子はデータライン（アノード電極層５０２）、スキャンライン（カソード電極層５０４）及び複数のサブピクセルを含む。データラインは第１方向に配列され、スキャンラインは上記第１方向と異なる第２方向に配列される。サブピクセルは上記データラインと上記スキャンラインとが交差する発光領域に形成される。データライン中の第１最外側データライン（５１０、５１２）に対応するサブピクセルは、他のサブピクセルに対し、所定の輝度より小さい輝度を有し、最外側データラインに対応するサブピクセルの階調を、所定の階調より低く設定される。【選択図】  図５ａ
2007249170.tif 000002
【特許請求の範囲】
【請求項１】
第１方向に配列されたデータライン、
上記第１方向と異なる第２方向に配列されたスキャンライン、及び
上記データラインと上記スキャンラインとが交差する発光領域に形成される複数のサブピクセルを含み、
上記データライン中の第１最外側データラインに対応するサブピクセルは、上記サブピクセルの所定の第１輝度より、小さい輝度で発光することを特徴とする発光素子。
【請求項２】
上記データライン中の第２最外側データラインに対応するサブピクセルは、上記サブピクセルの所定の第２輝度より、小さい輝度で発光することを特徴とする請求項１に記載の発光素子。
【請求項３】
上記第２輝度は、上記第１輝度と異なることを特徴とする請求項２に記載の発光素子。
【請求項４】
上記発光素子は、
上記スキャンラインにスキャン信号を供給するスキャン駆動部、及び
上記スキャン信号に同期するデータ電流を上記データラインに供給するデータ駆動部をさらに含み、
上記第１最外側データラインに供給されるデータ電流は、所定の階調に該当するデータ電流の大きさより、小さいことを特徴とする請求項１に記載の発光素子。
【請求項５】
上記発光素子は、有機電界発光素子であることを特徴とする請求項１に記載の発光素子。
【請求項６】
第１方向に配列されたアノード電極層、
上記アノード電極層中の第１最外側アノード電極層の外側に配列された第１ダミーアノード電極層、
上記第１方向と異なる第２方向に配列されたカソード電極層、
上記アノード電極層と上記カソード電極層とが交差する領域に形成された複数のサブピクセル、及び
上記第１ダミーアノード電極層と上記カソード電極層とが交差する領域に形成された複数の第１ダミーピクセルを含み、
少なくとも一つの第１ダミーピクセルは、ホワイト発光することを特徴とする発光素子。
【請求項７】
上記サブピクセルは、表示領域に配置されることを特徴とする請求項６に記載の発光素子。
【請求項８】
上記発光素子は、
上記アノード電極層中の第２最外側アノード電極層の外側に配列された第２ダミーアノード電極層、及び
上記第２ダミーアノード電極層と上記カソード電極層とが交差する領域に形成された複数の第２ダミーピクセルをさらに含み、
少なくとも一つの第２ダミーピクセルは、ホワイト発光することを特徴とする請求項６に記載の発光素子。
【請求項９】
上記第２ダミーピクセルの階調は、上記第２ダミーピクセル及び上記第２最外側アノード電極層に対応するサブピクセルの階調によって変わることを特徴とする請求項８に記載の発光素子。
【請求項１０】
上記第１ダミーピクセルの階調は、上記第１ダミーピクセル及び上記第１最外側アノード電極層に対応するサブピクセルの階調によって変わることを特徴とする請求項６に記載の発光素子。
【請求項１１】
上記サブピクセルは、レッドサブピクセル、グリーンサブピクセル、ブルーサブピクセル及びホワイトサブピクセルを含むことを特徴とする請求項６に記載の発光素子。
【請求項１２】
上記発光素子は、有機電界発光素子であることを特徴とする請求項６に記載の発光素子。
【請求項１３】
データラインとスキャンラインとが交差する発光領域に形成された複数のサブピクセルを含む発光素子を駆動する方法において、
第１表示データを第２表示データに変換する段階、及び
上記第２表示データに対応するデータ電流を上記データラインに供給する段階を含み、
上記データライン中の第１最外側データラインに供給されるデータ電流は、所定の第１階調のデータ電流より、小さいことを特徴とする発光素子駆動方法。
【請求項１４】
第２最外側データラインに供給されるデータ電流は、所定の第２階調のデータ電流より、小さいことを特徴とする請求項１３に記載の発光素子駆動方法。
【請求項１５】
上記第２階調は、上記第１階調と異なる大きさを有することを特徴とする請求項１３に記載の発光素子駆動方法。
【発明の詳細な説明】
【技術分野】
【０００１】
本発明は、発光素子（発光装置）及びその駆動方法に関し、特に、縞模様（stripe pattern）が生じない発光素子（発光装置）及びその駆動方法に関するものである。
【背景技術】
【０００２】
有機電界発光素子は、所定電圧で光を発生し、自己発光素子である。
図１は、従来の上記発光素子を使用する移動通信端末機を示す図である。図２aは、図１の発光素子(発光装置)を示した図であり、図２bは、図２aの発光素子を概略的に示す回路図である。図２cは、図１の発光素子に表示された縞模様を示した平面図である。
【０００３】
図１で示されるように、従来の発光素子１０２は、例えば移動通信端末機１００の表示窓として用いられ、図２aで図示されるような構造を有する。
図２aを参照すると、従来の発光素子１０２は、アノード電極層２０２とカソード電極層２０４とが交差する領域に形成された複数のサブピクセル２０６を含む。但し、サブピクセル２０６は、発光素子１０２の全領域のうち、発光時、移動通信端末機１００を介して、外部の使用者に示されうる領域である表示領域２００に形成される。また、３個のサブピクセル、例えば、レッド（赤）サブピクセル、グリーン（緑）サブピクセル及びブルー(青)サブピクセルは、一つのピクセル２０８を構成する。
【０００４】
以下、本発明の発光素子１０２の駆動過程を、図２bを参照して説明する。但し、アノード電極層２０２は、データラインＤ１〜Ｄ６に対応し、カソード電極層２０４は、スキャンラインＳ１〜Ｓ６に対応する。
【０００５】
まず、第１スキャンラインＳ１が接地に接続され、他のスキャンラインＳ２〜Ｓ６は非発光源に接続される。ここで、上記非発光源は、サブピクセルＥ１１〜Ｅ６６の最大輝度に対応する電圧を有する。その後、データ電流Ｉ１〜Ｉ６が、データラインＤ１〜Ｄ６に供給される。その結果、データラインＤ１、Ｄ４に対応するサブピクセルＥ１１、Ｅ４１はレッド光を発し、データラインＤ２、Ｄ５に対応するサブピクセルＥ２１、Ｅ５１はグリーン光を発し、データラインＤ３、Ｄ６に対応するサブピクセルＥ３１〜Ｅ６１はブルー光を発生させる。
【０００６】
次いで、第２スキャンラインＳ２が上記接地に接続され、他のスキャンラインＳ１、Ｓ３、Ｓ４、Ｓ５、Ｓ６は上記非発光源に接続される。その後、データ電流Ｉ１〜Ｉ６が、データラインＤ１〜Ｄ６に供給される。その結果、データラインＤ１、Ｄ４に対応するサブピクセルＥ１２、Ｅ４２はレッド光を発し、データラインＤ２、Ｄ５に対応するサブピクセルＥ２２、Ｅ５２はグリーン光を発し、データラインＤ３、Ｄ６に対応するサブピクセルＥ３２〜Ｅ６２はブルー光を発する。
上記過程を第６スキャンラインＳ６まで実行した後、スキャンラインＳ１〜Ｓ６単位で記駆動過程を繰り返す。
【０００７】
要するに、従来の発光素子１０２で、スキャンラインＳ１〜Ｓ６中の上記接地に接続されるスキャンラインに対応するピクセルが発光する。この場合、データラインＤ２〜Ｄ５に対応するサブピクセルＥ２１〜Ｅ５６の明るさは、その左側及び右側に形成された他のサブピクセルによって中和された（打ち消された）。一方、最外側データラインＤ１、Ｄ６に対応するサブピクセルＥ１１〜Ｅ１６、Ｅ６１〜Ｅ６６の左側または右側には、他のサブピクセルが形成されていなく、それで、最外側データラインＤ１、Ｄ６に対応するサブピクセルＥ１１〜Ｅ１６、Ｅ６１〜Ｅ６６の明るさは、他のサブピクセルによって中和されなかった。その結果、最外側データラインＤ１、Ｄ６に対応するサブピクセルＥ１１〜Ｅ１６、Ｅ６１〜Ｅ６６はデータラインＤ２〜Ｄ５に対応するサブピクセルＥ２１〜Ｅ５６に比べて使用者に明確に認知され、それで、発光素子１０２の領域中の左側及び右側領域に図２cで示されるように、レッド縞模様２１０ａ及びブルー縞模様２１０ｂが生じた。
【発明の開示】
【発明が解決しようとする課題】
【０００８】
本発明の目的は、縞模様が生じない発光素子（発光装置）及びその駆動方法を供給することにある。
【課題を解決するための手段】
【０００９】
上記の目的を達成するために、本発明の好ましい一実施形態に係る発光素子は、データライン、スキャンライン及び複数のサブピクセルを含む。上記データラインは第１方向に配列され、上記スキャンラインは上記第１方向と異なる第２方向に配列される。上記サブピクセルは、上記データラインと上記スキャンラインとが交差する発光領域に形成される。ここで、上記データライン中の第１最外側データラインに対応するサブピクセルは所定の第１輝度より小さい輝度を有する。
【００１０】
本発明の好ましい他の実施形態に係る発光素子は、アノード電極層、第１ダミーアノード電極層、カソード電極層、複数のサブピクセル及び第１ダミーピクセルを含む。上記アノード電極層は第１方向に配列され、上記第１ダミーアノード電極層は上記アノード電極層中の第１最外側アノード電極層の外側に配列される。上記カソード電極層は、上記第１方向と異なる第２方向に配列される。上記サブピクセルは、上記アノード電極層と上記カソード電極層とが交差する領域に形成される。上記第１ダミーピクセルは、上記第１ダミーアノード電極層と上記カソード電極層とが交差する領域に形成される。ここで、少なくとも一つの第１ダミーピクセルは、ホワイト（白）発光する。
【００１１】
本発明の好ましい一実施形態に係るデータラインとスキャンラインとが交差する発光領域に形成された複数のサブピクセルを含む発光素子を駆動する方法は、第１表示データを第２表示データに変換する段階、及び上記第２表示データに対応するデータ電流を上記データラインに供給する段階を含む。ここで、上記データライン中の第１最外側データラインに供給されるデータ電流は、所定の第１階調より、小さい大きさを有する。
【発明の効果】
【００１２】
本発明に係る発光素子及びその駆動方法は、最外側データラインに対応するサブピクセルの階調を所定の階調より低く設定するので、上記最外側データラインに対応するサブピクセルに該当する縞模様が、上記発光素子に生じない。
【００１３】
また、本発明に係る発光素子及びその駆動方法では、最外側データラインに対応するサブピクセルが、表示領域の外側に形成されたダミーサブピクセルにより中和する（打ち消す）ので、上記最外側データラインに対応するサブピクセルに該当する縞模様が、上記発光素子に生じない。
【発明を実施するための最良の形態】
【００１４】
以下では、添付図面を参照して本発明の好ましい実施形態を詳細に説明する。
図３は、本発明の好ましい一実施形態に係る発光素子を使用する移動通信端末機を示した図である。図４aは、図３の発光素子を図示した回路図であり、図４bは、図３のサブピクセルを図示した断面図である。
【００１５】
本発明の一実施形態に係る発光素子３０２は有機電界発光素子（Organic Electroluminescent Device）、液晶表示装置（Liquid Crystal Display、ＬＣＤ）またはプラズマ表示パネル（Plasma Display Panel、ＰＤＰ）などを含む。
【００１６】
図３で示されるように、本発明の発光素子（発光装置）３０２は、例えば、移動通信端末機３００の表示窓として用いられ、図４aに図示されるような構造を有する。
図４aを参照すると、本発明の発光素子３０２は、複数のサブピクセルＥ１１〜Ｅ６６、制御部４０４、スキャン駆動部（駆動回路）４０６及びデータ駆動部４０８を含む。
サブピクセルＥ１１〜Ｅ６６は、表示領域４００で、データラインＤ１〜Ｄ６とスキャンラインＳ１〜Ｓ６とが交差する領域に形成される。ここで、表示領域４００は、発光素子３０２の全領域のうち、発光時、移動通信端末機３００を介して外部の使用者に示されうる領域を意味する。
【００１７】
また、本発明の発光素子３０２が有機電界発光素子の場合、各サブピクセルＥ１１〜Ｅ６６は図４bで示されるように、基板（未図示）上に順次に積層されたアノード電極層４２０、有機物層４２２及びカソード電極層４２４を含む。
アノード電極層４２０は透明電極層であり、例えば、インジウムスズ酸化物（Indium Tin Oxide）からなる。
有機物層４２２は所定色に対応する有機物からなり、正孔輸送層（Hole Transporting Layer、ＨＴＬ）、発光層（Emitting Layer、ＥＭＬ）及び電子輸送層（Electron Transporting Layer、ＥＴＬ）を含む。
【００１８】
カソード電極層４２４は、金属、例えば、アルミニウム（Ａｌ）からなる。
アノード電極層４２０に正の電圧が印加され、カソード電極層４２４に負の電圧が印加される場合、ＨＴＬはアノード電極層４２０から発生された正孔をＥＭＬに輸送し、ＥＴＬはカソード電極層４２４から発生された電子をＥＭＬに輸送する。上記輸送された正孔及び電子はＥＭＬで再結合し、この過程で所定波長を有する光がＥＭＬから発生される。
【００１９】
要するに、スキャンラインＳ１〜Ｓ６に上記スキャン信号が伝送され、データラインＤ１〜Ｄ６にデータ電流が供給される場合、サブピクセルＥ１１〜Ｅ６６が発光する。但し、サブピクセルＥ１１〜Ｅ６６は、図４aで示されるように３個単位で一つのピクセル４０２を形成する。即ち、ピクセル４０２は、レッド光に対応するレッドサブピクセルＥ１１、グリーン光に対応するグリーンサブピクセルＥ２１及びブルー光に対応するブルーサブピクセルＥ３１からなる。この場合、レッドサブピクセルＥ１１は、レッド光に対応する有機物からなる有機物層を含み、グリーンサブピクセルＥ２１は、グリーン光に対応する有機物からなる有機物層を含み、ブルーサブピクセルＥ３１は、ブルー光に対応する有機物からなる有機物層を含む。
【００２０】
図４aで示されるように、制御部４０４は、外部装置（未図示）から第１表示データ、例えば、ＲＧＢデータを受信し、上記受信された第１表示データを第２表示データに変換する。また、制御部４０４は、上記第２表示データを利用してスキャン駆動部４０６及びデータ駆動部４０８を制御する。
スキャン駆動部４０６は、制御部４０４の制御下でスキャン信号を、スキャンラインＳ１〜Ｓ６に順次に伝送する。その結果、スキャンラインＳ１〜Ｓ６が、順次に発光源、例えば接地に接続される。
【００２１】
データ駆動部４０８は、複数の電流源を含み、制御部４０４の制御下で上記スキャン信号に同期され、上記第２表示データに対応するデータ電流Ｉ１〜Ｉ６を、データラインＤ１〜Ｄ６に伝送する。その結果、上記接地に接続されたスキャンラインに対応するサブピクセルが発光する。
【００２２】
以下、サブピクセルＥ１１〜Ｅ６６の発光過程を詳述する。
まず、第１スキャンラインＳ１が上記接地に接続され、他のスキャンラインＳ２〜Ｓ６が、発光素子３０２の駆動電圧ＶＣと同じ大きさの電圧を有する非発光源に接続される。従って、データ電流Ｉ１〜Ｉ６は、順方向に形成されたサブピクセルＥ１１〜Ｅ６１及び第１スキャンラインＳ１を介して上記接地に流れる。その結果、第１スキャンラインＳ１に対応するサブピクセルＥ１１〜Ｅ６１のみが発光する。
【００２３】
但し、本発明の発光素子３０２では、最外側データラインＤ１、Ｄ６に対応するサブピクセルＥ１１、Ｅ６１は、所定の階調より低い階調で発光する。例えば、上記第１表示データに対応するデータ電流が、データラインＤ１〜Ｄ６に供給されることによってピクセル４０２がホワイトで発光するように設計されたと仮定する。即ち、レッドサブピクセルＥ１１、グリーンサブピクセルＥ２１及びブルーサブピクセルＥ３１は、ピクセル４０２がホワイトで発光するように、いずれも階調を有する。
【００２４】
この場合、本発明の発光素子３０２は、上記第１表示データを上記第２表示データに変換し、最外側データラインＤ１、Ｄ６に対応するサブピクセルＥ１１、Ｅ６１の階調を、他のサブピクセルＥ２１〜Ｅ５１の階調より低く設定する。要するに、本発明の発光素子３０２は、最外側データラインＤ１、Ｄ６に対応するサブピクセルＥ１１、Ｅ６１の階調を、所定の階調、即ち、上記第１表示データに対応する階調より低く設計する。
【００２５】
次いで、第２スキャンラインＳ２が上記接地に接続され、他のスキャンラインＳ１、Ｓ３〜Ｓ６が上記非発光源に接続される。その結果、第２スキャンラインＳ２に対応するサブピクセルＥ１２〜Ｅ６２が発光する。この場合にも、本発明の発光素子３０２は、最外側データラインＤ１、Ｄ６に対応するサブピクセルＥ１２、Ｅ６２の階調を、他のサブピクセルＥ２２〜Ｅ５２の階調より低く設定する。
上記過程を第６スキャンラインＳ６まで順次に行い、その後、スキャンラインＳ１〜Ｓ６単位で上記駆動過程を繰り返す。
【００２６】
要するに、本発明の発光素子３０２は、従来の発光素子とは違って最外側データラインＤ１、Ｄ６に対応するサブピクセルＥ１１〜Ｅ１６、Ｅ６１〜Ｅ６６の階調を、他のデータラインＤ２〜Ｄ５に対応するサブピクセルＥ２１〜Ｅ５６の階調より低く設定する。従って、最外側データラインＤ１〜Ｄ６に対応するサブピクセルＥ１１〜Ｅ１６、Ｅ６１〜Ｅ６６は、他のデータラインＤ２〜Ｄ５に対応するサブピクセルＥ２１〜Ｅ５６より暗く発光する。
【００２７】
従って、本発明の発光素子３０２では、従来の発光素子と違って表示領域４００の左側及び右側部分に、最外側データラインＤ１〜Ｄ６に対応するサブピクセルＥ１１〜Ｅ１６、Ｅ６１〜Ｅ６６に該当する縞模様、例えば、レッド縞模様及びブルー縞模様が生じない。但し、この場合、最外側データラインＤ１、Ｄ６に対応するサブピクセルＥ１１〜Ｅ１６、Ｅ６１〜Ｅ６６に対応するピクセルが、ホワイトで発光できずに、ホワイトと類似な色で発光しうる。しかし、発光素子３０２は、使用者が上記類似な色をホワイトとして認識できるように、サブピクセルＥ１１〜Ｅ１６、Ｅ６１〜Ｅ６６の輝度を制御する。
【００２８】
上記では、制御部４０４に入力される第１表示データを上記第２表示データに変換し、最外側データラインＤ１、Ｄ６に対応するサブピクセルＥ１１〜Ｅ１６、Ｅ６１〜Ｅ６６の階調を変換された。しかし、本発明の発光素子３０２は、上記第１表示データを他のデータに変換せずに、放電時間の間、最外側データラインＤ１、Ｄ６の放電レベルを調整するか、またはプリチャージ電流の大きさを変えて最外側データラインＤ１、Ｄ６に対応するサブピクセルＥ１１〜Ｅ１６、Ｅ６１〜Ｅ６６の階調を変えることができる。即ち、最外側データラインＤ１、Ｄ６に対応するサブピクセルＥ１１〜Ｅ１６、Ｅ６１〜Ｅ６６の階調が、所定の階調より低く設計される限り、本発明の発光素子３０２を駆動する方法に多くの変形が可能である。従って、このような様々な変形が本発明の権利範囲に影響を及ぼさないということは当業者にとって自明な事実である。
【００２９】
図５aは、本発明の好ましい他の実施形態に係る発光素子を示した図であり、図５bは、図５aの発光素子を概略的に示した回路図である。
図５aを参照すると、本発明の発光素子３０２は、複数のサブピクセル５０６、第１ダミーピクセル５１４及び第２ダミーピクセル５１６を含む。
サブピクセル５０６は、表示領域５００でアノード電極層５０２とカソード電極層５０４とが交差する領域に形成される。また、３個のサブピクセル、例えば、レッドサブピクセル、グリーンサブピクセル及びブルーサブピクセルは、一つのピクセル５０８を構成する。
【００３０】
第１ダミーピクセル５１４は、表示領域５００の外側で、第１ダミーアノード電極層５１０とカソード電極層５０４とが交差する領域に形成され、好ましくはホワイト光を発する。
第２ダミーピクセル５１６は、表示領域５００の外側で、第２ダミーアノード電極層５１２とカソード電極層５０４とが交差する領域に形成され、好ましくはホワイト光を発生させる。
【００３１】
以下、本発明の発光素子３０２の駆動過程を、図５bを参照して詳述する。但し、アノード電極層５０２は、データラインＤ１〜Ｄ６に対応し、カソード電極層５０４は、スキャンラインＳ１〜Ｓ６に対応する。また、第１ダミーアノード電極層５１０は、第１ダミーデータラインＤＤ１に対応し、第２ダミーアノード電極層５１２は、第２ダミーデータラインＤＤ２に対応する。
【００３２】
まず、第１スキャンラインＳ１が接地に接続され、他のスキャンラインＳ２〜Ｓ６が非発光源に接続される。その後、データ電流Ｉ１〜Ｉ６とダミーデータ電流ＤＩ１、ＤＩ２が、データラインＤ１〜Ｄ６及びダミーデータラインＤＤ１、ＤＤ２に供給される。その結果、データラインＤ１、Ｄ４に対応するサブピクセルＥ１１、Ｅ４１はレッド光を発し、データラインＤ２、Ｄ５に対応するサブピクセルＥ２１、Ｅ５１はグリーン光を発し、データラインＤ３、Ｄ６に対応するサブピクセルＥ３１〜Ｅ６１はブルー光を発する。また、ダミーデータラインＤＤ１、ＤＤ２に対応するサブピクセルＤＥ１１、ＤＥ２１はホワイト光を発する。
【００３３】
次いで、第２スキャンラインＳ２が、上記接地に接続され、他のスキャンラインＳ１、Ｓ３、Ｓ４、Ｓ５、Ｓ６は、上記非発光源に接続される。その後、データ電流Ｉ１〜Ｉ６とダミーデータ電流ＤＩ１、ＤＩ２が、データラインＤ１〜Ｄ６及びダミーデータラインＤＤ１、ＤＤ２に供給される。その結果、データラインＤ１、Ｄ４に対応するサブピクセルＥ１２、Ｅ４２はレッド光を発し、データラインＤ２、Ｄ５に対応するサブピクセルＥ２２、Ｅ５２はグリーン光を発し、データラインＤ３、Ｄ６に対応するサブピクセルＥ３２〜Ｅ６２はブルー光を発する。また、ダミーデータラインＤＤ１、ＤＤ２に対応するサブピクセルＤＥ１２、ＤＥ２２はホワイト光を発する。
上記過程を第６スキャンラインＳ６まで実行した後、スキャンラインＳ１〜Ｓ６単位で上記駆動過程を繰り返す。
【００３４】
要するに、本発明の発光素子３０２では、最外側データラインＤ１、Ｄ６の外側にダミーデータラインＤＤ１、ＤＤ２が位置する。その結果、ホワイトで発光するダミーサブピクセルＤＥ１１〜ＤＥ２６が、最外側データラインＤ１、Ｄ６に対応するサブピクセルＥ１１〜Ｅ１６、Ｅ６１〜Ｅ６６の発光色を中和する（打ち消す）。従って、本発明の発光素子３０２には、従来の発光素子と違って最外側データラインＤ１〜Ｄ６に対応するサブピクセルＥ１１〜Ｅ１６、Ｅ６１〜Ｅ６６に該当する縞模様、例えば、レッド縞模様及びブルー縞模様が生じない。ここで、ダミーサブピクセルＤＥ１１〜ＤＥ２６の輝度は、最外側データラインＤ１、Ｄ６に対応するサブピクセルＥ１１〜Ｅ１６、Ｅ６１〜Ｅ６６の輝度に対応して変わる。
【００３５】
上の実施形態では、順次に配列された１個のレッドサブピクセル、１個のグリーンサブピクセル及び１個のブルーサブピクセルが一つのピクセル４０２、５０８からなるものを説明したが、ピクセル４０２、５０８は、レッドサブピクセル、グリーンサブピクセル及びブルーサブピクセルが上記と異なる順序で配列されていてもよい。この場合、ダミーサブピクセルＤＥ１１〜ＤＥ２６の輝度は、最外側データラインＤ１、Ｄ６に対応するサブピクセルの輝度に対応して変わる。
本発明の他の実施形態に係る発光素子では、一つのピクセルは、１個のレッドサブピクセル、１個のグリーンサブピクセル、１個のブルーサブピクセル及び１個のホワイトサブピクセルからなっていてもよい。この場合、上記発光素子の駆動方法は、上記実施形態に説明された駆動方法と同一なので、以下説明を省略する。
即ち、本発明の発光素子で、ピクセルの構成は多様に変化されていてもよい。
【００３６】
以上説明した本発明は、例示の目的のために開示されたものであり、本発明に対する通常の知識を有した当業者であるならば、本発明の思想と範囲内で様々な修正、変更、付加が可能である。従って、このような修正、変更及び付加は本発明の特許請求の範囲に属するものである。
【図面の簡単な説明】
【００３７】
【図１】従来の発光素子を使用する移動通信端末機を示した図である。
【図２ａ】図１の発光素子を示した図である。
【図２ｂ】図２aの発光素子の概略的に示した回路図である。
【図２ｃ】図１の発光素子に表示された縞模様を示した平面図である。
【図３】本発明の好ましい一実施形態に係る発光素子を使用する移動通信端末機を示した図である。
【図４ａ】図３の発光素子の回路図である。
【図４ｂ】図３の発光素子のサブピクセルを示した断面図である。
【図５ａ】本発明の好ましい他の実施形態に係る発光素子を示した図である。
【図５ｂ】図５aの発光素子の概略的に示した回路図である。
【符号の説明】
【００３８】
５００  表示領域
５０２  アノード電極層
５０４  カソード電極層
５０６  サブピクセル
５０８  ピクセル
５１０  第１ダミーアノード電極層
５１２  第２ダミーアノード電極層
５１４  第１ダミーピクセル
５１６  第２ダミーピクセル
【図１】
2007249170.tif 000003
【図２ａ】
2007249170.tif 000004
【図２ｂ】
2007249170.tif 000005
【図２ｃ】
2007249170.tif 000006
【図３】
2007249170.tif 000007
【図４ａ】
2007249170.tif 000008
【図４ｂ】
2007249170.tif 000009
【図５ａ】
2007249170.tif 000010
【図５ｂ】
2007249170.tif 000011